(57)【要約】接触感応アクティブマトリクス表示装置は、ピクセル蓄積キャパシタ（２０）とピクセルトランジスタとに各々対応する容量性表示素子ピクセル（１６）の配列を有する。一つまたは複数の共通電極接点（１８ａ）を設け、複数の表示素子（１６）の端子に接続する。共通電極接点は、同共通電極接点に至る電荷の流れを測定する電荷測定装置（５０）にそれぞれ個別に接続可能である。このようにして、ピクセルトランジスタがオフに切り替わっている時に容量性表示素子の中を流れる電荷を測定できる。この電荷の流れは、ピクセル蓄積キャパシタ（２０）と表示素子（１６）との間での電荷の移動に相当し、なおかつ容量の変化に起因するものであるため、接触入力の指標となる。
2006510092.tif 000002
【特許請求の範囲】
【請求項１】
容量性表示素子ピクセルの配列を備える接触感応表示装置であって、各表示素子はピクセル蓄積キャパシタを含むピクセル回路に対応し、各表示素子は第一の端子にて前記蓄積キャパシタに接続し、
前記装置がさらに１つ以上の共通電極接点を備え、前記または各々の共通電極接点は複数の前記表示素子の第二の端子に接続し、各共通電極接点は前記共通電極接点に至る電荷の流れを測定する電荷測定手段に個別に接続可能である、接触感応表示装置。
【請求項２】
複数の共通電極接点が設けられることを特徴とする、請求項１に記載の装置。
【請求項３】
各共通電極接点がそれぞれの電荷測定手段に接続することを特徴とする、請求項２に記載の装置。
【請求項４】
前記または各々の電荷測定手段が電荷感応型増幅器を備えることを特徴とする、請求項１−３のいずれかに記載の装置。
【請求項５】
各電荷感応型増幅器が前記共通電極接点を仮想アース電位に接続することを特徴とする、請求項４に記載の装置。
【請求項６】
表示素子ピクセルの前記配列が行と列とで配置され、さらに各共通電極接点が複数の隣接表示素子ピクセル列の前記表示素子の前記第二の端子に接続することを特徴とする、請求項１−５のいずれかに記載の装置。
【請求項７】
ピクセルアドレス信号を提供するため各表示素子ピクセル行が共通行導体を共有し、各ピクセルの前記蓄積キャパシタが前記表示素子と隣接表示素子ピクセル行の前記行導体との間で接続されることを特徴とする、請求項６に記載の装置。
【請求項８】
各表示素子ピクセル行が共通キャパシタ行導体を共有し、各ピクセルの前記蓄積キャパシタが前記表示素子と前記キャパシタ行導体との間で接続されることを特徴とする、請求項６に記載の装置。
【請求項９】
複数の隣接行グループが定義され、各グループが、行導体の前記グループに至る電荷の流れを測定する電荷測定手段に個別に接続可能であることを特徴とする、請求項７または８に記載の装置。
【請求項１０】
各ピクセル回路がトランジスタを備え、該トランジスタが表示素子ピクセル行に対応する行導体上の信号によって処理され、且つ該トランジスタが表示素子ピクセル列に対応するする列導体から前記表示素子へと信号を提供することを特徴とする、請求項１−９のいずれかに記載の装置。
【請求項１１】
容量性表示素子が液晶表示素子を含むことを特徴とする、請求項１−１０のいずれかに記載の装置。
【請求項１２】
接触感応表示装置で接触入力を検知する方法であって、前記装置が容量性表示素子とピクセル蓄積キャパシタとを各々備える容量性表示素子ピクセルの配列を備え、前記方法が、
ピクセルトランジスタを通じて各ピクセルの前記表示素子を所望の電圧に荷電することによって前記配列の前記ピクセルに表示信号を印加すること、
前記ピクセルトランジスタをオフに切り替えることによって各ピクセルを単離し、前記ピクセル蓄積キャパシタを用いて前記表示素子上の前記電圧を蓄積すること、及び
前記ピクセルが単離している最中に前記蓄積キャパシタと前記容量性表示素子との間を流れる前記電荷を感知することを含む、接触入力を検知する方法。
【請求項１３】
前記容量性表示素子の端子に向けて流れる前記電荷を監視することによって前記感知を実行する、請求項１２に記載の方法。
【請求項１４】
複数の表示素子の端子に向けて流れる前記電荷を監視し、前記複数の表示素子が共通接点を共有すると共に一つまたは複数の表示素子列を含むことを特徴とする、請求項１３に記載の方法。
【請求項１５】
前記感知がまた前記ピクセル蓄積キャパシタの端子に向けて流れる前記電荷を監視することによって実行されることを特徴とする、請求項１４に記載の方法。
【請求項１６】
複数のピクセル蓄積キャパシタの端子に向けて流れる前記電荷を監視し、前記複数のピクセル蓄積キャパシタが共通接点を共有すると共に一つまたは複数のピクセル行の前記ピクセル蓄積キャパシタを含むことを特徴とする、請求項１５に記載の方法。
【請求項１７】
前記配列の前記ピクセルの部分集合を接触感知と表示とに使用し、前記残りのピクセルを表示専用に使用することを特徴とする、請求項１２から１６のいずれか一つに記載の方法。
【請求項１８】
前記ピクセルの部分集合に略静止の画像が提供される、請求項１７に記載の方法。
【請求項１９】
前記部分集合が複数のピクセル行を含むことを特徴とする、請求項１７または１８に記載の方法。
【請求項２０】
前記部分集合の前記表示データが繰り返され、最初の繰り返しか、その後の繰り返しで接触感知を行うことを特徴とする、請求項１７に記載の方法。
【請求項２１】
前記部分集合がフレームごとに異なる、請求項２０に記載の方法。
【発明の詳細な説明】
【技術分野】
【０００１】
本発明は、アクティブマトリクス液晶表示装置に関し、特に接触感応（Touch sensitive）入力機能を備える表示装置に関する。
【背景技術】
【０００２】
アクティブマトリクス表示装置は典型的には、行と列とに配置されたピクセルの配列を備える。それぞれのピクセル行は一つの行導体を共有し、行導体は当該行におけるピクセルの薄膜トランジスタのゲートに接続する。それぞれのピクセル列は一つの列導体を共有し、ピクセル駆動信号が列導体に提供される。当該行におけるピクセルの薄膜トランジスタのゲートに接続する。行導体上の信号はトランジスタがオンまたはオフのいずれに切り替わるかを判定し、さらにトランジスタがオンに切り替わる時には、行導体上の高電圧パルスによって列導体から液晶材料（または他の容量性表示セル）のある部分にかけて信号が通過可能となり、その結果材料の光透過特性が変化する。
【０００３】
図１は、アクティブマトリクス液晶表示装置の従来のピクセル構成を示す。かかる表示装置は、行及び列のピクセル配列として構成されている。各々のピクセル行は共通の行導体１０を共有し、各々のピクセル列は共通の列導体１２を共有する。各ピクセルは、薄膜トランジスタ１４と、列導体１２と共通電極１８との間で直列に配置された液晶セル１６とを備える。トランジスタ１４は、行導体１０上で提供される信号によってオン及びオフに切り替わる。かくして行導体１０は、関連するピクセル行の各トランジスタ１４のゲート１４ａに接続される。加えて各ピクセルは、蓄積キャパシタ２０を備えてもよく、該蓄積キャパシタの一端２２は次の行電極、先行する行電極、または別のキャパシタ電極に接続する。ピクセルの容量（キャパシタ２０または自己容量）が駆動電圧を蓄積することにより、たとえトランジスタ１４がオフに切り替わった後でも、液晶セル１６にわたって信号が維持される。
【０００４】
液晶セル１６を所望の電圧まで駆動し所望のグレーレベルを得るため、行導体１０上での行アドレスパルスと同時に、列導体１２上でしかるべき信号が提供される。この行アドレスパルスが薄膜トランジスタ１４をオンに切り替えることにより、列導体１２は液晶セル１６を所望の電圧まで荷電できるようになり、さらにまた蓄積キャパシタ２０を同じ電圧まで荷電できるようになる。行アドレスパルスの終了時にトランジスタ１４はオフに切り替わり、蓄積キャパシタ２０は、他の行が処理されている時にセル１６にわたって電圧を維持する。蓄積キャパシタ２０は液晶漏れ現象を減らし、さらに液晶セル容量の電圧依存を原因とするピクセル容量の変動率を減らす。
【０００５】
行は、全ての行が１つのフレーム周期で処理され、その後のフレーム周期でリフレッシュされるよう逐次処理される。
【０００６】
図２に示すとおり、表示ピクセルの配列３４に対し、行駆動回路３０によって行アドレス信号が提供され、列アドレス回路３２によってピクセル駆動信号が提供される。
【０００７】
指（接触入力）やスタイラス（ペン入力）を用いて表示装置と接触し、表示装置に接続されたシステムへの入力が可能となることは非常に望ましい特徴であり、そのための方法が数多く開発されてきた。それらの方法ではほとんどの場合、表示装置端部の前方、後方、またはその周囲に別途構成部品を追加する必要がある。
【０００８】
表示装置の液晶層を圧力センサとしても利用できることが分かっている。具体的には、液晶層に圧力を加えると液晶層の局所的な電気容量が変化し、その変化を利用してその地点での圧力入力の存在を検知することができる。今日までに、同時表示・圧力感知を伴う方式や、逐次表示・圧力感知操作を伴う方式が提案されてきた。
【発明の開示】
【発明が解決しようとする課題】
【０００９】
例えば特開２０００−０６６８３７に開示されている方法では、あるピクセルの再荷電に要する電荷の量を測定し、他のピクセルに必要な電荷に比較することで、ピクセルの液晶材料にかかる圧力に相当する容量変化を検知する。米国特許第５７７７５９６号では、液晶表示素子の荷電時間を基準値に比較することによって、接触されている素子がいずれのものかを判定する。容量の尺度として荷電の時間や量を使う場合は、比較を行えるようにするため、一旦ピクセルを完全に放電し、それから所定の電圧まで荷電する必要がある。当然ながらこれは正常な表示動作に支障をきたす。例えば、米国特許第５７７７５９６号では所謂「点滅線」法が使われている。点滅線は画面の上部から下部にかけて進行するが、その間表示素子は完全に放電された状態と完全に荷電された状態との間で駆動される。明らかにこれでは望ましくない画像が生じることになる。米国特許第５７７７５９６号には、別法として所謂「ホットスポットカーソル」法も開示されており、該方法では小さなエリアを点滅させ、その点滅する小さいエリアが所望の位置までドラッグされる。この手法においても表示画像に支障が出る。
【００１０】
本発明によれば、容量性表示素子ピクセルの配列を備える接触感応表示装置であって、各表示素子はピクセル蓄積キャパシタを含むピクセル回路に対応し、各表示素子は第一の端子にて前記蓄積キャパシタに接続し、
前記装置がさらに１つ以上の共通電極接点を備え、前記または各々の共通電極接点は複数の前記表示素子の第二の端子に接続し、各共通電極接点は前記共通電極接点に至る電荷の流れを測定する電荷測定手段に個別に接続可能である、接触感応表示装置が提供される。
【００１１】
本発明の構成では、第二の端子に向けて（または第二の端子から）容量性表示素子の中を流れる電荷を測定できる。この電荷の流れは、容量性表示素子の容量変化によって生じるピクセル蓄積キャパシタと表示素子との間での電荷の移動に相当するので、接触入力の指標となる。この電荷の測定は、表示ピクセルが画像を表示している最中に、正規の表示駆動方式を変えることなく、実行できる。
【００１２】
共通の電極接点は一つのみでもよく、その場合の電極接点は、配列の全ピクセルにとって共有の共通電極接点である。この場合の接触感知分解能は行導体を用いて達成する。ただし、複数の共通電極接点を設け、行方向及び列方向での分解能を達成できることが好ましい。そして、複数の共通電極接点は各々の電荷感応型増幅器に接続可能である（ただし、マルチプレクサを使用すれば増幅器の共有が可能となる）。好ましくは電荷感応型増幅器で共通電極接点を仮想アース電位に接続することによって、グラウンドに対して共通電極接点を保持する。こうすれば表示操作に用いる電圧が保存されるため、電荷測定を行っても正常な表示操作に影響は及ばない。
【００１３】
好ましくは、表示素子ピクセルの配列を行列に配置し、それぞれの共通電極接点は複数の隣接する表示素子ピクセル列の表示素子の第二の端子に接続する。かくして接点は、列にわたって分解能を提供する。それぞれの表示素子ピクセル行は共通の行導体を共有し、各ピクセルは、表示素子と隣接する表示素子ピクセル行の行導体との間に接続された蓄積キャパシタを備える。これにより、蓄積キャパシタに向けて流れる電荷を行導体で監視できるため、列の電荷測定と行の電荷測定との組み合わせで接触入力位置の識別が可能となる。
【００１４】
好ましくは、複数の隣接する行のグループを定義し、各グループは個別に、行導体のグループに至る電荷の流れを測定する電荷測定手段に接続可能なものとする。これは、各々の接触入力エリアが行及び列のグループの交差によって定義され、その結果、感度が向上することを意味する。
【００１５】
容量性表示素子は液晶表示素子を含んでもよい。
【００１６】
本発明はまた、接触感応表示装置で接触入力を検知する方法を提供するものであり、前記装置は、容量性表示素子とピクセル蓄積キャパシタとを各々備える容量性表示素子ピクセルの配列を備え、前記方法は、
ピクセルトランジスタを通じて各ピクセルの表示素子を所望の電圧まで荷電することによって前記配列の前記ピクセルに表示信号を印加すること、
前記ピクセルトランジスタをオフに切り替えることによって各ピクセルを単離し、前記ピクセル蓄積キャパシタを用いて前記表示素子上で電圧を蓄積すること、及び
前記ピクセルが単離している最中に前記蓄積キャパシタと前記容量性表示素子との間を流れる電荷を感知することを含む。
【００１７】
電荷の流れを感知することによって、接触されている表示装置の指標となる、容量性表示素子の容量変化を検知することが可能となる。
【００１８】
この方法は、ピクセルが処理された後に電荷の流れを感知することにより、表示画像の歪を回避し、接触感知の実現を可能にする。
【００１９】
上記の感知は、好ましくは容量性表示素子の端子に向けて流れる電荷を監視することによって実行する。好ましくは複数の表示素子のこの端子を監視し、複数の表示素子は共通の接点を共有すると共に、一つまたは複数の表示素子列を含む。好ましくはピクセル蓄積キャパシタの端子に向けて流れる電荷も監視する。好ましくは複数のピクセル蓄積キャパシタのその端子に向けて流れる電荷を監視し、複数のピクセル蓄積キャパシタは共通の接点を共有すると共に、一つまたは複数のピクセル行のピクセル蓄積キャパシタを含む。
【００２０】
かくして、行導体と、表示素子列間で共有される共通接点とが監視され、接触入力の位置の検知が可能となる。
【００２１】
変化する表示駆動レベルもまた容量変化をもたらし、それ故電荷の流れをもたらす。そこで、配列のピクセルの部分集合を接触感知と表示とに利用し、残りのピクセルを表示専用に用いてもよい。この場合は、実質的に静止した画像をピクセルの部分集合（例えば交互の行）に提供することができる。
【００２２】
代替的には、部分集合の表示データを繰り返してもよく、その場合は、最初の繰り返しかその後の繰り返しで接触感知を実行し、その画像を静止画とする。部分集合はフレームごとに異なってもよく、その場合の接触感知に使われるエリアは画像中を移動する。これにより本方法は動画で確実に機能する。
【発明を実施するための最良の形態】
【００２３】
以下に本発明の例を添付の図面を参照しつつ詳細に説明する。
【００２４】
かかる図面は本発明の概略を示すものに過ぎないことを理解されたい。全ての図面で、同じ部材や同様の部材には同じ参照番号を用いる。
【００２５】
本発明は、表示装置基板に別途構成部品を追加することなく、ＬＣ表示装置の前面で指またはスタイラスによって生じる物理的圧力を感知できる表示・駆動方法を提供する。これは、表示装置内の既存の構成部品を用いて感知を実行し、それらを追加の電極回路に接続することによって達成する。さらに画像の歪を回避するか最小限に抑え、同時表示・感知を達成する。
【００２６】
システムの基本原理は、前部ガラス（またはプラスチック）上での圧力によって生じる表示装置におけるＬＣピクセルの容量変化を検知するものである。図３は、アクティブマトリクス液晶表示装置（ＡＭＬＣＤ）の概略断面を示す。ピクセル容量は、ピクセル電極４０と共通電極１８との間の容量によって定まり、セルギャップ４２の逆数に比例する。圧力が加わると、スペーサボール４４の変形に伴いＬＣセルを形成する基板も変形させることができ、その結果セルギャップ４２が縮小し、ひいてはピクセル容量が増加することとなる。
【００２７】
本発明のシステムは、ピクセル回路（図１）のＴＦＴ１４がオフに切り替わる時に接触入力を感知し、ピクセル及び蓄積キャパシタを表示列１２から単離する。この状況で同等のピクセル回路は図４に示すとおりである。ノード２３は、トランジスタ１４によってピクセル駆動電圧が供給されるピクセル回路のノードである。以下に、引き続きこの回路を参照する。
【００２８】
図５は、既存の表示装置構成部品を使用して接触感知機能を提供する方法を示す。
【００２９】
共通電極１８は別個の接点１８ａに分割される。それぞれの電極接点１８ａは、多数のピクセル列の表示素子の第二の端子に接続される。共通電極接点１８ａに至る電荷の流れを測定するため、共通電極接点１８ａをそれぞれ個別に電荷感応型増幅器に接続可能である。こうして、ＬＣセル１６を通じて第二の端子（もはや全ピクセルに共通の端子ではない）に流れる電荷を測定できる。この電荷の流れは蓄積キャパシタ２０とＬＣセル１６との間での電荷の移動に相当し、接触入力の指標となる。
【００３０】
行はまたグループ１０ａの中で配置されるため、接触感応入力エリア４６は、行のグループ１０ａと、共通電極接点１８ａを共有する列のグループとの交差によって決定する。
【００３１】
共通電極がＳ個のセグメントに分割され、蓄積キャパシタが取り付けられた行導体がＲ個のグループ１０ａに分割されると仮定した場合は、表示装置のＲ×Ｓエリアで接触を感知できる。ＲおよびＳの少なくとも一方を増やすと感知の分解能は増すが、それは感知される電荷のサイズが小さくなることを意味する。したがってＲとＳとは、用途に応じて選択することができる。
【００３２】
典型的には２Ｖ−６Ｖ範囲の電圧ＶＬＣがＬＣセルにわたって存在するため、容量の増加は、共通電極１８からピクセルに至り、さらに接続から蓄積キャパシタに至る電荷の流れを生じさせる。この接続は図１のピクセル回路における隣接行であるが、別個のキャパシタラインでもよい。
【００３３】
図４に示す簡素な構成で、ＬＣセル１６の容量ＣＬＣが量ΔＣで変化する場合、ΔＣがＣＬＣ及び（キャパシタ２０の）蓄積容量ＣＳに比べて小さいと仮定すると、ＣＳとＣＬＣとにわたって順次電圧を保持するのに必要な電荷の流れの量ΔＱは次式で求める。
【数１】
2006510092.tif 000003
【００３４】
表示装置に接触することによって変位する電荷のおおよその大きさは、この式から簡単に求めることができる。典型的なＡＭＬＣＤの場合、ＣＳはＣＬＣにほぼ等しい。標準的なセルの厚みとＬＣ材料の誘電率とセルギャップにおける５％の変化とを仮定した場合、ΔＣの値は４４ｐｆ／ｃｍ２となる。ＶＬＣ＝４Ｖであれば、ΔＱ＝８８ｐＣ／ｃｍ２である。表示装置の０．５ｃｍ２程度のエリアが歪む場合、変位する電荷は４５ｐＣ程度であり、この程度の変位であれば、以下に記載のとおりに接続した標準電荷増幅器で容易に検知できる。
【００３５】
図６は、ＬＣセルギャップの歪によって生じる電荷の変位を感知する方法の概略図を示す。各々の行グループ１０ａと各々の共通電極接点１８ａとは、仮想アース電荷感応型増幅器５０に接続する。簡潔さを期すため、図６では行グループ１０ａと共通電極接点１８ａとがそれぞれ一本の線で描かれている。表示装置のあるエリアに接触すると、一つまたは複数の共通電極接点１８ａと一つまたは複数の行グループ１０ａとに電荷が流れる。これらの電荷の流れは、当該行グループ及び共通電極接点に接続された電荷感応型増幅器５０によって感知され、同増幅器の出力にて信号に変化を生じさせる。Ｓ個の共通電極接点とＲ個の行グループとの出力を絶えず監視することで、表示装置に接触することに起因する信号を感知してもよく、接触されている位置と面積は、その信号を生じさせた増幅器がどれなのかを判定することによって導き出すことができる。この電荷感応型増幅器は仮想アース増幅器であるため、共通電極接点間または表示装置の他の部分の行グループ間でのクロスカップリング容量効果は最小限に抑えられる。
【００３６】
増幅器はまた、接触感知操作の最中に行及び列導体をグラウンド電位に向けて保持するが、それは装置の正常表示操作と両立する。
【００３７】
一つの共通電極接点（Ｓ＝１）を用いてこのシステムの簡易版を作ることができる。これでは水平位置を検知できないが、垂直位置は検知でき、全ての項目が別々の垂直位置にある標準メニューからの選択等、数多くの操作にとっては、その応用に必要な全情報を提供する。
【００３８】
標準のＬＣ表示装置では、ＬＣ誘電率、ひいてはセル容量は駆動レベルに依存するため、ピクセルの駆動レベルにおける変化によってピクセル容量の変化を誘発できる。これは、変化する画像から、接触入力によって生じる信号と同様の信号を誘発でき、擬似接触検知信号を発生させられることを意味する。
【００３９】
静止画像の場合には問題はなく、その感知は単純である。接触入力が要求される用途では通常、画像（例えばメニュー、キーパッド等の画像）は静止画であるため、変化する画像の影響は問題ではない。行ブロックまたは共通電極セグメントのエリアでごく僅かを占めるピクセルだけが変化する場合でも、画像の変化によって誘発される容量変化は接触圧力によって誘発されるそれに比べて小さいため、問題にならない。さらに、画像により大きな変化が生じても、その一部がある方向での容量変化を引き起こし、一部が別の方向での容量変化を引き起こすことで、結果的に総容量において変化が相殺されて、ゼロ又はごく僅かになるのであれば許容できる。例えば、黒から白にかけて点滅するブロックと、同一セグメントのもとで白から黒にかけて（つまり逆位相で）点滅する同じ面積のブロックを含む画像は、その総容量が一定となるため、問題が生じることはないであろう。
【００４０】
ただし、動画の表示に対処しつつなお接触感知を可能とする表示装置の使用を採用することは可能である。
【００４１】
接触感知は、ピクセルが単離されている最中にも、蓄積キャパシタと容量性表示素子との間を流れる電荷を感知しながら実行される。ただし、配列のピクセルの部分集合を接触感知と表示に利用し、残りのピクセルを表示専用に使用してもよい。そのようにすれば、略静止の画像をピクセルの部分集合に提供することができる。例えば、水平行グループで一つおきの（またはｎ番目毎の）接続だけを感知に使用し、画像の動く部分は感知増幅器に接続されていない行だけに差し向ける。その結果、感知行においては容量変化がない。これを垂直方向で応用するのはより困難であり、（Ｓ＝１の例で前述したとおり）垂直位置を選択するだけでよい画像にとってのみ適切であり得る。
【００４２】
代替的には、部分集合の表示データを繰り返してもよく、画像を静止画にするには、画像データが繰り返される期間中に接触感知を行う。そこで、一つ（または複数）の感知ブロックに関する情報を意図的に２フレーム以上にわたって繰り返すことで、当該ブロックだけの感知が可能となる。表示装置の中でアクティブ感知ブロックの位置をフレームからフレームにかけてずらすことによって、表示装置全体で接触入力のスキャンを行える。このことに伴う知覚上の影響は軽微である。
【００４３】
上記の例で、各蓄積キャパシタの端子は後続の行に接続される。代わりに、追加のキャパシタ接点行導体を設けてもよく、その場合はこれを電荷感応型増幅器に連結する。
【００４４】
この記述で「行」及び「列」という用語を使用する場合、それは純然に任意的であり、表示装置は９０度回転することもある。したがって、それらの用語は制限的なものとして解釈すべきでなく、より重要なことは、導体が交差（必ずしも９０度の交差でない）することによって一意な接触感知エリアが定義されることである。
【００４５】
好適な実施はＬＣ表示装置での実施であるが、加えた圧力に応じて容量の変化を表示する他の容量性表示素子も考慮することができる。
【００４６】
上記で説明したとおり、本発明は通常の駆動方式を表示装置に使えるようにするものであるが、表示装置で画像変化がないエリア内においてのみ接触感知を可能にするように変更することができる。本発明は単に、行及び列ドライバ（図２の３０、３２）又は追加の専用回路における電荷感応型増幅器の追加を必要とする。また本発明では、複数の共通電極接点が望ましい場合には、共通電極層のパターン化が必要となる。
【００４７】
当業者には上記以外の種々の変更が明らかであろう。
【図面の簡単な説明】
【００４８】
【図１】公知のＡＭＬＣＤピクセルを示す図。
【図２】本発明により改良できる公知のＡＭＬＣＤピクセルを示す図。
【図３】ＬＣセルを接触感知に利用する方法を説明する図。
【図４】処理済みピクセルのための同等の回路を示し、接触感知操作をさらに詳しく説明する図。
【図５】本発明による表示電極の配列方法を示す図。
【図６】本発明による表示装置を示す図。
【図１】
2006510092.tif 000004
【図２】
2006510092.tif 000005
【図３】
2006510092.tif 000006
【図４】
2006510092.tif 000007
【図５】
2006510092.tif 000008
【図６】
2006510092.tif 000009
【国際調査報告】
2006510092.tif 000010
2006510092.tif 000011
2006510092.tif 000012